(57)【要約】【課題】通信機能を備えた屋外設置型の照明器具に関し、アンテナと通信モジュールとの配線接続がし易く、しかもアンテナ及び通信モジュールの配置が、発光部や発光部の点灯を制御する制御部の配置を制限することなく、照明器具内に組み立て可能な構成を提供する。【解決手段】支柱等の支持部材への取り付け部を後部に備えた金属製の下面開口の本体と、前記下面開口を塞ぐように組み合わされる透光性及び電波透過性のカバー部材とで囲まれた器具空間に、発光部、発光部の点灯・消灯を制御する制御部、及び外部の通信制御部との信号の受信または送受信動作を行うようアンテナを含む照明器具側通信制御部が配置され、アンテナは、その一部または全部が器具空間において前記下面開口よりもカバー部材側に位置し、且つ発光部よりも取り付け部側に位置する。【選択図】図３
2018129175.tif 000002
【特許請求の範囲】
【請求項１】
支柱等の支持部材への取り付け部を備えた金属製の開口を持つ本体と、前記開口を塞ぐように組み合わされる透光性及び電波透過性のカバー部材とを備え、前記本体と前記カバー部材で囲まれた器具空間に、発光部、前記発光部の点灯・消灯を制御する制御部、及び外部の通信制御部との信号の受信または送受信動作を行う照明器具側通信制御部が配置され、
前記照明器具側通信制御部はアンテナを含み通信動作機能を有し、
前記アンテナは、その一部または全部が前記器具空間において前記開口よりも前記カバー部材側に位置し、且つ前記発光部よりも前記取り付け部側に位置する、
ことを特徴とする屋外設置型の照明器具。
【請求項２】
前記アンテナは、基板にパターン形成され前記基板のパターン面が開口面と直交する方を向いていることを特徴とする請求項１に記載の屋外設置型の照明器具。
【請求項３】
前記照明器具側通信制御部は、前記器具空間において前記発光部よりも前記取り付け部側に位置することを特徴とする請求項１または２に記載の屋外設置型の照明器具。
【請求項４】
前記照明器具側通信制御部は、前記アンテナがパターン形成されたアンテナ基板と、通信モジュールを構成する通信モジュール基板とを備え、前記通信モジュール基板と前記アンテナ基板は、前記カバー部材内の前記器具空間において不透明性及び電波透過性の補助カバー部材で覆われている、
ことを特徴とする請求項１乃至３のいずれかに記載の屋外設置型の照明器具。
【請求項５】
前記通信モジュール基板は前記本体の開口面に水平方向に配置され、前記アンテナ基板は前記通信モジュール基板に交差する配置である、
ことを特徴とする請求項４に記載の屋外設置型の照明器具。
【請求項６】
前記通信モジュール基板は前記本体の開口面に直交する方向に配置され、前記アンテナ基板は前記通信モジュール基板に並行する配置である、
ことを特徴とする請求項４に記載の屋外設置型の照明器具。
【請求項７】
前記発光部は、前記制御部へ電気的に接続される発光部基板と、前記発光部基板に配置された照明用光源と、前記照明用光源を覆う配光部材とを備え、前記補助カバー部材は前記配光部材と一体形成された、
ことを特徴とする請求項４乃至６のいずれかに記載の屋外設置型の照明器具。
【請求項８】
支柱等の支持部材への取り付け部を後部に備えた金属製の下面開口の本体と、前記下面開口を塞ぐように組み合わされる透光性及び電波透過性のカバー部材とを備え、前記本体と前記カバー部材で囲まれた器具空間に、発光部、前記発光部の点灯・消灯を制御する制御部、及び外部の通信制御部との信号の受信または送受信動作を行う照明器具側通信制御部が配置され、
前記照明器具側通信制御部はアンテナを含み通信動作機能を有し、
前記アンテナは、前記本体または前記照明器具側通信制御部に電気的に接続されたロッドタイプアンテナであり、前記発光部よりも後方で下位に位置し、カバー部材の内側空間に前方に向けた配置である、
ことを特徴とする屋外設置型の照明器具。
【請求項９】
支柱の先端が挿入される支柱挿入部を中央下部に備えた金属製の上面開口の本体と、前記上面開口を塞ぐように組み合わされる透光性及び電波透過性の透光カバー部材と、前記透光カバー部材の内側に配置される発光部を有し、前記本体と前記カバー部材で囲まれた器具空間に、発光部、前記発光部の点灯・消灯を制御する制御部、及び外部の通信制御部との信号の受信または送受信動作を行う照明器具側通信制御部が配置され、
前記制御部は前記本体に取り付けられた金属製の保護カバーに覆われ、前記保護カバーの上部に前記発光部が取り付けられ、前記保護カバーの外側で前記透光カバー部材で覆われる空間に電波透過性の補助カバー部材で覆われるように前記照明器具側通信制御部が設けられ、前記照明器具通信制御部はアンテナを含むことを特徴とする屋外設置型の照明器具。
【発明の詳細な説明】
【技術分野】
【０００１】
本発明は、通信機能を備えた屋外設置型の照明器具に関する。
【背景技術】
【０００２】
道路灯等のような屋外設置型の照明器具の一つとして、照明器具内に設けた発光部の発光制御を行うために、照明器具内に通信動作を行う電気制御システムを設けたものがある（特許文献１参照）。
【０００３】
特許文献１のものは、照明器具の電気制御システムが収容される金属等の上部ハウジング１２と、その下側に半透明のドーム形状の下部ハウジング１４を備え、電気制御システムに接続されるアンテナ２６が、この下部ハウジング１４の表面に配置されるか、下部ハウジング１４の壁に埋め込まれるように、下部ハウジング１４と一体に形成されている。
【先行技術文献】
【特許文献】
【０００４】
【特許文献１】特表２００８-５０６２３２
【発明の概要】
【発明が解決しようとする課題】
【０００５】
このように特許文献１のものでは、下部ハウジング１４と一体に形成されたアンテナは、上部ハウジング１２内に収容された電気制御システムと配線接続する必要がある。
このため、照明器具の製造時や、照明器具の内部点検時等において、上部ハウジング１２に下部ハウジング１４を取り付けるとき、その配線接続作業が必要であり、その作業をし易くすること、及び配線が外れないようにするためには、アンテナと電気制御システムを接続する配線を長くする必要がある。
しかし、この配線の影が下部ハウジング１４に映らないようにすることが要求され、この長い配線が下部ハウジング１４の壁に近づかないようにするために、例えば配線支持具を上部ハウジング１２に設けるとかの工夫が必要であり、配線作業も面倒である。
【０００６】
また、アンテナは下部ハウジング１４と一体であるため、発光部の光がアンテナで邪魔されると共に、下部ハウジング１４を通してアンテナの存在が外部から透視でき、デザイン的にも好ましくない。
【０００７】
本発明は、このような点に鑑み、アンテナと通信モジュールとの配線接続がし易く、しかもアンテナ及び通信モジュールの配置が、発光部や発光部の点灯を制御する制御部の配置を制限することなく、照明器具内に組み立て可能な構成を提供する。
【課題を解決するための手段】
【０００８】
第１の本発明の屋外設置型の照明器具は、
支柱等の支持部材への取り付け部を備えた金属製の開口を持つ本体と、前記開口を塞ぐように組み合わされる透光性及び電波透過性のカバー部材とを備え、前記本体と前記カバー部材で囲まれた器具空間に、発光部、前記発光部の点灯・消灯を制御する制御部、及び外部の通信制御部との信号の受信または送受信動作を行う照明器具側通信制御部が配置され、
前記照明器具側通信制御部はアンテナを含み通信動作機能を有し、
前記アンテナは、その一部または全部が前記器具空間において前記開口よりも前記カバー部材側に位置し、且つ前記発光部よりも前記取り付け部側に位置する、
ことを特徴とする。
【０００９】
第２の本発明の屋外設置型の照明器具は、前記第１において、
前記アンテナは、基板にパターン形成され前記基板のパターン面が開口面と直交する方を向いていることを特徴とする。
【００１０】
第３の本発明の屋外設置型の照明器具は、前記第１または第２において、
前記照明器具側通信制御部は、前記器具空間において前記発光部よりも前記取り付け部側に位置することを特徴とする。
【００１１】
第４の本発明の屋外設置型の照明器具は、前記第１乃至第３のいずれかにおいて、
前記照明器具側通信制御部は、前記アンテナがパターン形成されたアンテナ基板と、通信モジュールを構成する通信モジュール基板とを備え、前記通信モジュール基板と前記アンテナ基板は、前記カバー部材内の前記器具空間において不透明性及び電波透過性の補助カバー部材で覆われている、
ことを特徴とする。
【００１２】
第５の本発明の屋外設置型の照明器具は、前記第４において、
前記通信モジュール基板は前記本体の開口面に水平方向に配置され、前記アンテナ基板は前記通信モジュール基板に交差する配置である、
ことを特徴とする。
【００１３】
第６の本発明の屋外設置型の照明器具は、前記第４において、
前記通信モジュール基板は前記本体の開口面に直交する方向に配置され、前記アンテナ基板は前記通信モジュール基板に並行する配置である、
ことを特徴とする。
【００１４】
第７の本発明の屋外設置型の照明器具は、前記第４乃至第６のいずれかにおいて、
前記発光部は、前記制御部へ電気的に接続される発光部基板と、前記発光部基板に配置された照明用光源と、前記照明用光源を覆う配光部材とを備え、前記補助カバー部材は前記配光部材と一体形成された、
ことを特徴とする。
【００１５】
第８の本発明の屋外設置型の照明器具は、
支柱等の支持部材への取り付け部を後部に備えた金属製の下面開口の本体と、前記下面開口を塞ぐように組み合わされる透光性及び電波透過性のカバー部材とを備え、前記本体と前記カバー部材で囲まれた器具空間に、発光部、前記発光部の点灯・消灯を制御する制御部、及び外部の通信制御部との信号の受信または送受信動作を行う照明器具側通信制御部が配置され、
前記照明器具側通信制御部はアンテナを含み通信動作機能を有し、
前記アンテナは、前記本体または前記照明器具側通信制御部に電気的に接続されたロッドタイプアンテナであり、前記発光部よりも後方で下位に位置し、カバー部材の内側空間に前方に向けた配置である、
ことを特徴とする。
【００１６】
第９の本発明の屋外設置型の照明器具は、
支柱の先端が挿入される支柱挿入部を中央下部に備えた金属製の上面開口の本体と、前記上面開口を塞ぐように組み合わされる透光性及び電波透過性の透光カバー部材と、前記透光カバー部材の内側に配置される発光部を有し、前記本体と前記カバー部材で囲まれた器具空間に、発光部、前記発光部の点灯・消灯を制御する制御部、及び外部の通信制御部との信号の受信または送受信動作を行う照明器具側通信制御部が配置され、
前記制御部は前記本体に取り付けられた金属製の保護カバーに覆われ、前記保護カバーの上部に前記発光部が取り付けられ、前記保護カバーの外側で前記透光カバー部材で覆われる空間に電波透過性の補助カバー部材で覆われるように前記照明器具側通信制御部が設けられ、前記照明器具通信制御部はアンテナを含むことを特徴とする。
【発明の効果】
【００１７】
本発明の屋外設置型の照明器具は、後部に支柱等への取り付け部を備え、収容した照明器具側通信制御部によって点灯電力供給部をして発光部の点灯・消灯が制御されるが、照明器具側通信制御部のアンテナは、その一部または全部が本体とカバー部材で囲まれた器具空間において、本体の下面開口よりもカバー部材側に位置し、且つ発光部よりも取り付け部側に位置する。
このため、発光部の光がアンテナで邪魔されることがなく、所期の道路方向への照明ができることとなる。また、カバー部材を通して外部の通信制御部との信号の受信または送信が適切となり、通信機能を備えた屋外設置型の照明器具として好適となる。
【００１８】
また本発明の屋外設置型の照明器具は、アンテナは、基板にパターン形成され基板のパターン面がカバー部材の側面方向、またはカバー部材の前方または後方に向いている。
照明器具の設置状況によって、アンテナによる受信または送信が外部環境によって邪魔される虞があるが、本発明によって、アンテナの向きの設定により、そのような電波障害が回避でき、安定した通信が行えるものとなる。
【００１９】
また本発明の屋外設置型の照明器具は、
発光部と点灯電力供給部が器具空間で本体内の前後に配置され、照明器具側通信制御部が制御部の下方に離間して配置されている。
これによって、発光部による所期の方向への照明の確保と、発光部と点灯電力供給部が発する熱の放散の良好な配置と、照明器具側通信制御部の通信機能の確保とが、好適となる。
【００２０】
また本発明の屋外設置型の照明器具は、
照明器具側通信制御部は、アンテナがパターン形成されたアンテナ基板と、通信モジュールの通信モジュール基板とを備え、通信モジュール基板とアンテナ基板は、発光部よりも取り付け部側に位置し、カバー部材内の器具空間において不透明性及び電波透過性の補助カバー部材で覆われている。
このため、通信モジュール基板とアンテナ基板が発光部による照明の邪魔にならず、また発光部の消灯時は勿論のこと点灯時にも、通信モジュール基板とアンテナ基板の影がカバー部材に投影されることがなく、デザイン的にも好ましく、アンテナを通した通信の確保ができるものとなる。
また、本体からカバー部材を取り外して内部の点検やカバー部材の内面の清掃等を行う場合にも、補助カバー部材がアンテナ及び通信モジュールを覆っているため、これら及び制御部に作業者の手が触れることがなく安心である。
【００２１】
また本発明の屋外設置型の照明器具は、
制御基板は本体の下面開口部に横方向配置され、アンテナ基板は通信モジュール基板に交差するよう縦方向配置である。
このため、通信モジュール基板が発光部による照明の邪魔にならず、また、アンテナがパターン形成されたアンテナ基板は、アンテナによる通信が良好な向きとなり、安定した通信が可能となる。
【００２２】
また本発明の屋外設置型の照明器具は、
発光部は、点灯電力供給部へ電気的に接続される発光部基板と、発光部基板の下面に配置された照明用光源と、照明用光源を覆う配光部材とを備え、補助カバー部材は配光部材と一体形成される。
このため、補助カバー部材と配光部材とが別途構成に比して、コスト低下と組み立てがし易いものとなる。
【００２３】
また本発明の屋外設置型の照明器具は、照明器具側通信制御部のアンテナは、本体または照明器具側通信制御部に電気的に接続されたロッドタイプアンテナであり、発光部よりも後方で下位に位置し、カバー部材の内側空間に前方に向けた配置である。このため、アンテナが発光部による照明の邪魔にならず、且つ照明器具の設置場所による通信障害を受け難い形態となる。
【００２４】
また本発明の屋外設置型の照明器具は、支柱の先端が挿入される支柱挿入部を中央下部に備えた金属製の上面開口の本体と、前記上面開口を塞ぐように組み合わされる透光性及び電波透過性の透光カバー部材と、前記透光カバー部材の内側に配置される発光部を有し、前記本体と前記カバー部材で囲まれた器具空間に、発光部、前記発光部の点灯・消灯を制御する制御部、及び外部の通信制御部との信号の受信または送受信動作を行う照明器具側通信制御部が配置され、
前記制御部は前記本体に取り付けられた金属製の保護カバーに覆われ、前記保護カバーの上部に前記発光部が取り付けられ、前記保護カバーの外側で前記透光カバー部材で覆われる空間に電波透過性の補助カバー部材で覆われるように前記照明器具側通信制御部が設けられ、前記照明器具通信制御部はアンテナを含む構成である。
このため、照明器具側通信制御部は照明の邪魔にならず、且つ外部から見えない状態であるため、外観デザイン的にも良好な通信機能を有するものとなる。
【図面の簡単な説明】
【００２５】
【図１】本発明に係る照明器具の下方から見た斜視図である。
【図２】本発明に係る照明器具の下面図である。
【図３】本発明に係る照明器具の縦断側面図である。
【図４】第２の実施形態に係る本発明照明器具の下面図である。
【図５】図４のＡ−Ａ断面図である。
【図６】図４のＢ−Ｂ断面図である。
【図７】本発明に係る照明器具を支柱に取り付けた状態の側面図である。
【図８】本発明に係る照明器具の制御システム図である。
【図９】ロッドタイプアンテナを採用した照明器具の縦断側面図である。
【図１０】第３の実施形態に係る本発明照明器具の正面図である。
【図１１】図１０のＣ−Ｃ断面図である。
【発明を実施するための形態】
【００２６】
本発明の屋外設置型の照明器具は、支柱等の支持部材への取り付け部を後部に備えた金属製の下面開口の本体と、前記下面開口を塞ぐように組み合わされる透光性及び電波透過性のカバー部材と、前記本体と前記カバー部材で囲まれた器具空間に配置された照明用光源及び前記照明用光源の点灯・消灯を制御する制御部と、外部の通信制御部との信号の受信または送受信動作を行う照明器具側通信制御部と、を備え、
前記照明器具側通信制御部はアンテナを含み通信動作機能を有し、
前記アンテナは、その一部または全部が前記器具空間において前記下面開口よりも前記カバー部材側に位置し、且つ前記発光部よりも前記取り付け部側に位置する構成である。
以下、本発明の実施形態として、所要箇所に向けた光を発する照明用光源７としてＬＥＤ素子（発光ダイオード）７が２列配置された照明器具１について、図面を参照して説明する。
【００２７】
本発明の屋外設置型の照明器具１は、不透光性の本体２の下面側の開口部２Ａの周縁部２Ｅで囲まれた領域に照明用光源をなすＬＥＤ素子７が放射する光を所定の配光にて出射する発光部６が取り付けられ、ＬＥＤ素子７の出射光が道路方向に配光される照明器具である。
【００２８】
その一つ形態として、図１〜図３に示すように、照明器具１は、開口部２Ａを塞ぐように本体２に組み合わされるカバー部材３を備える前後方向に長い形態であり、開口部２Ａに沿って発光部６を配置している。本体２は、下面の略全域が開口するように開口部２Ａを形成し内外両面に防錆効果のある熱伝導性塗装を施した金属製等の熱伝導良好な不透光性で構成され、合成樹脂製のカバー部材３は、透光性及び電波透過性である。
【００２９】
本体２は、一つの形態として、アルミニウムを材料としてダイキャスト成形され、上壁２Ｔと上壁２Ｔから下降する周囲壁２Ｓで囲まれ上方に膨らむ形態の前後方向に長い内部空間４を有し、内部空間４は周囲壁２Ｓで囲まれ下側に開口する開口部２Ａを形成し、支柱ＰＬ等への取り付け部１０を後部に突出状態に備える。図７に示すように、取り付け部１０の孔に刺し通した取り付けバンドＴＢを支柱ＰＬに巻き付け固定することにより、照明器具１は、左右方向へ延びる道路に対して交差する方向の配置となり、道路方向へ延びる配光によって道路面を照射する。
【００３０】
カバー部材３は下方に膨らんだ形態をなし、上端周縁部には上方へ突出する環状フランジ３Ｆが形成されている。本体２の開口部２Ａの周縁部を巡るように、下方へ突出する環状フランジ２Ｆを形成している。開口部２Ａの周縁部には、フランジ２Ｆの内側にカバー部材３のフランジ３Ｆが嵌り込む溝２Ｍを有する。
【００３１】
図２に示すように、溝２Ｍにフランジ３Ｆが嵌り込むように、カバー部材３を本体２の開口部２Ａに組み合わせた状態で、ネジＮＪで開口部２Ａの周縁部にカバー部材３を固定する。溝２Ｍとフランジ３Ｆのように嵌り合う凹凸構成によって、本体２とカバー部材３との間が防水構造をなしている。
このように本体２とカバー部材３の組み合わせによって、本体２とカバー部材３で囲まれた器具空間ＳＳが形成される。
なお、溝２Ｍの上底にパッキンを収容し、このパッキンがフランジ３Ｆによって圧縮される構成によって、更に好ましい防水効果が得られる。
【００３２】
図１等に示すように、発光部６は、ＬＥＤ素子７が放射する光を所定の配光にて所要箇所に向けて光を照射する部分であり、ＬＥＤ素子７と、下側面にＬＥＤ素子７が配置された発光部基板５とで構成する。なお、ＬＥＤ素子７の発光を所定の配光とするために、ＬＥＤ素子７を覆うように発光部基板５の下側面に組み合わされ、ＬＥＤ素子７が放射する光を所定の配光にて出射する配光部材８を備える構成でもよい。
【００３３】
電気絶縁性の発光部基板５は、発光部６を構成する複数のＬＥＤ素子７を下面に実装し、ＬＥＤ素子７への電路が同じ下面にプリント配線として形成され、このプリント配線を絶縁被膜で覆っている。発光部基板５の下面側には配光部材８が配置されている。
配光部材８は透光性合成樹脂製であり、板状部８１に複数の配光部８２を一体形成した構成である。
配光部８２は、ＬＥＤ素子７ごとに対応して所定の配光となる出射光を形成する部分であり、実施例ではレンズ形態をなす。図１乃至図３に示す形態では、カバー部材３は配光部材８を一体形成したものである。
【００３４】
図１等に示すように、本体２は内部空間４として前部空間４Ａと後部空間４Ｂを有し、前部空間４Ａには、発光部基板５の上面を支える前後方向に並行に延びる複数の熱伝導リブ１１と、発光部基板５を取り付ける複数の取り付けボス１３が、上壁２Ｔから垂下するように本体２に一体に形成されており、取り付けボス１３にネジ９にて発光部基板５を取り付ける。取り付けボス１３に発光部基板５を取り付けた状態で、ＬＥＤ素子７の裏側（上面側）に対向する位置で熱伝導リブ１１が発光部基板５の上面に当接し、発光部基板５が本体２に伝熱的に取り付けられた状態となり、ＬＥＤ素子７の発熱が、発光部基板５を介して本体２に伝熱され、本体２から放散される。
【００３５】
なお、発光部基板５の上面には、下面のプリント配線とは電気的接続とならない状態に放熱用の熱伝導被膜（図示せず）が形成されており、この熱伝導被膜が熱伝導リブ１１に当接することにより、より一層の本体２への伝熱効果が得られる。
【００３６】
また、このように取り付けボス１３に発光部基板５を取り付けた状態で、発光部基板５は、開口部２Ａよりも若干空間４側へ入った位置（前部空間４Ａ側へ入った位置）において、開口部２Ａに略並行に沿った状態である。本体２の内部空間４は、前部から後部に向けて次第に深くなる（開口部２Ａを基準とすれば次第に上方に高くなる）ように形成され、熱伝導リブ１１の左右両側で、本体２の上壁２Ｔ及び周囲壁２Ｓと発光部基板５との間に、本体２の後部から斜め上前方へ延び熱伝導リブ１１の前端と後端で連通する空気通路が形成されている。この空気通路を流れる空気によって、本体２内の熱が本体２から有効に放散される。
【００３７】
照明器具１は、ＬＥＤ素子７の点灯及び消灯を制御する制御部１５が、前部空間４Ａの後方に位置する後部空間４Ｂに配置されている。制御部１５は、電源部１６と、電源部１６の出力電力をＬＥＤ素子７へ供給するか否かの制御を行う点灯制御回路部１７とを含む。
点灯制御回路部１７は、照度センサ１９が接続されており、照度センサ１９が照明器具１の周囲の照度を検出して、明るい照度から所定の暗い照度に低下したときＬＥＤ素子７を点灯させ、再び所定の明るい照度に上昇したときＬＥＤ素子７を消灯させるように動作する。
照度センサ１９は、センサ基板２３に取り付けられ、本体２の後壁に形成した採光孔２Ｋに嵌合した透光性採光部材２４を通して外部の照度を検出する。
【００３８】
制御部１５は、プリント配線された制御基板１５Ｐに所要の電子回路部品１５Ｅが配置された構成であり、制御基板１５Ｐが本体２の上壁２Ｔまたは周囲壁２Ｓの上部から後部空間４Ｂに延出した取り付けボス１８Ｂにネジで固定される。これによって、制御基板１５Ｐは、後部空間４Ｂの上下の中間部に横配置で以って前後方向に向かう配置である。
【００３９】
図８に示すように、照明器具１は、外部の通信制御部との信号の受信動作を行う照明器具側通信制御部２０を備える。照明器具側通信制御部２０は、アンテナ２１を含み、外部の通信制御部からの信号に基づき発光部６の点灯・消灯制御信号を制御部１５の点灯制御回路部１７へ発する機能を備える。
このため、照明器具側通信制御部２０は、アンテナ２１と、通信動作回路を有する通信モジュール２２を有する。通信モジュール２２は無線通信機能を備えており、プリント配線された通信モジュール基板２２Ｐに所要の電子回路部品２２Ｅが配置された構成である。
【００４０】
電源部１６は、照明器具１への供給電力が商用の交流電力ＡＣである場合は、交流電力ＡＣを直流電力に変換するＡＣ／ＤＣ変換部であり、また、電池である場合は充電可能な蓄電池である。電源部１６の出力である直流電力は、電源電力として点灯制御回路部１７と通信モジュール２２へも供給される。
【００４１】
アンテナ２１は、アンテナ基板２１Ｐの片側面または両側面に、印刷技術によって四辺形状、渦巻き形状、ジグザグ形状等所期の形状にパターン形成された構成であり、アンテナ基板２１Ｐが通信モジュール基板２２Ｐの端部に取り付けられ、アンテナ２１が通信モジュール基板２２Ｐの配線と電気的に接続されている。
【００４２】
アンテナ２１及び通信モジュール２２は、器具空間ＳＳのカバー部材３内空間において、不透明（不透光性）及び電波透過性の補助カバー部材２５で覆われ、後部空間４Ｂに配置した制御部１５の下方位置に間隔を存して配置されている。この場合、少なくともアンテナ２１が器具空間ＳＳのカバー部材３内空間に配置さればよい。
カバー部材３は、アンテナ２１及び通信モジュール２２を覆うカバー部分３Ｐが下方へ膨出形状をなしている。
【００４３】
補助カバー部材２５の存在によって、制御基板１５Ｐ、アンテナ基板２１Ｐ及び通信モジュール基板２２Ｐ、及びそれらに取り付けられた電子回路部品は、発光部６の発光によっても、照明器具１の外部から目視されず、外観デザインとして好ましい。また、本体２からカバー部材３を取り外して内部の点検やカバー部材３の内面の清掃等を行う場合にも、補助カバー部材２５がアンテナ２１及び通信モジュール２２を覆っているため、これら及び制御部１５に作業者の手が触れることがなく安心・安全である。
【００４４】
補助カバー部材２５は、適所を本体２の上壁２Ｔまたは周囲壁２Ｓの上部から後部空間４Ｂへ延出した取り付けボス２６にネジ固定される。
なお、補助カバー部材２５の後部は取り付けボス２６にネジ固定され、補助カバー部材２５の前部は、発光部基板５の後部と共に取り付けボス１３にネジ止めする形態でもよい。
【００４５】
補助カバー部材２５を白色等の合成樹脂製とする場合は、通信モジュール基板２２Ｐは、補助カバー部材２５の内面に一体形成した取り付けボスにネジ止めされ、通信モジュール２２は制御部１５と電気的にコネクタで接続される。
【００４６】
上記の構成によって、図１乃至図３に示す形態では、本体２の内部空間４の下面開口２Ａを覆ように本体２に組み合わされるカバー部材３は、前部空間４Ａに対応配置された配光部８２と、後部空間４Ｂに対応配置された制御部１５、アンテナ２１及び通信モジュール２２を覆う部分が一体形成されたものである。
【００４７】
アンテナ２１は、外部の通信制御部からの信号を十分受信できるようにするために、その一部または全部が器具空間ＳＳにおいて下面開口２Ａよりもカバー部材３側に位置し、且つ発光部６よりも取り付け部１０側に位置する。
好ましい状態は、アンテナ２１は、全部が器具空間ＳＳにおいて下面開口２Ａよりもカバー部材３側に位置することであるが、照明器具１の周囲環境によってアンテナ２１の受信状況が悪くならないようにすることが必要である。
【００４８】
このため、アンテナ基板２１Ｐのパターン面が、カバー部材３の側面方向に向いた状態か、カバー部材３の前方または後方に向く状態とする。また、通信モジュール基板２２Ｐは、図３及び図５に示すように、下面開口２Ａに沿って横配置で以って前後方向に向かう配置とする。
これらの場合、図３及び図５に示すように、アンテナ基板２１Ｐは通信モジュール基板２２Ｐに対して交差状態であり、好ましくは略直角状態とし、補助カバー部材２５及びカバー部分３Ｐの前後左右の壁を通して、外部の通信制御部と電波の送受信を行う構成とする。
【００４９】
外部電源ＡＣから照明器具１へ電力供給を行うために、照明器具１へ供給される外部交流電源ラインは、本体２の後壁に形成した貫通孔２７に挿入される絶縁ゴム製のブッシング２８を貫通し、その先端に取り付けた電源コネクタが制御部１５の電源部１６に電気的に接続される。
【００５０】
照明器具１が受信機能を備える場合は、通信モジュール２２は電波信号の受信・増幅等の所期の動作を行う受信回路を備える。このため、例えば、外部の通信制御部からの点灯指令または消灯指令をアンテナ２１が受け、通信モジュール２２がその受信信号を受信し、通信モジュール２２の出力によって制御部１５の点灯制御回路部１７が、電源部１６の直流電力を発光部６へ供給しまたは供給停止し、ＬＥＤ素子７を点灯または消灯させる。
【００５１】
このため、通常の照明用ＬＥＤ７の他に、災害警報用の赤色発光のＬＥＤ素子を発光部基板５に備える場合は、災害発生時に外部の通信制御部から発せられる警報指令が、アンテナ２１で受信され通信モジュール２２を通して制御部１５が動作し、電源部１６の直流電力を前記赤色発光のＬＥＤ素子を点灯させ、市民へ警報を発することができる。
また、照明器具１には照度センサ１９を設けず、地域管理センターに設置した外部の通信制御部に照度センサを設け、その地域内の複数の照明器具１の点灯及消灯を外部の通信制御部の指令によって行うようにすることもできる。この場合も、外部の通信制御部から発せられる点灯・消灯指令が、アンテナ２１で受信され通信モジュール２２を通して制御部１５の点灯制御回路部１７が動作し、ＬＥＤ素子７を点灯・消灯させる。
【００５２】
照明器具１に送受信機能を備え、外部の通信制御部を管理センターに設置し、外部の通信制御部との間で双方向通信を行う形態とすることができる。この場合は、通信モジュール２２は電波信号を受信及び発信するための送受信回路を備える。
例えば、照明器具１が、照度センサ１９の動作不良、ＬＥＤ素子７の不発光、制御部１５の動作不良、点灯制御回路部１７の動作不良等の故障検知機能を備え、管理センターにおいてその地域の複数の照明器具１の管理をするシステムとすることができる。
その場合、照明器具１は外部の通信制御部からの指令を受信しそれに基づき故障検知動作を行い、その時の検知情報を外部の通信制御部へ送信する、所謂、送受信応答機能を備える構成である。
【００５３】
図４乃至図６は、カバー部材３が配光部材８と別構成である。
図４乃至図６において、図１乃至図３に示す形態と同じ機能部分は、図１乃至図３と同じ符号を付している。
【００５４】
図４乃至図６の形態では、配光部材８は透光性合成樹脂製であり、板状部８１にレンズ形態をなす複数の配光部８２を一体形成した構成であり、一つの配光部８２に一つのＬＥＤ素子７が対応する関係で、配光部８２の裏側に形成した凹部にＬＥＤ素子７が収容される状態となるように、発光部基板５の下側面に当接状態に配光部材８が配置され、その状態で板状部８１を通してネジ９にて配光部材８と発光部基板５を取り付けボス１３に取り付けている。
【００５５】
図１乃至図３に示す形態と同様に、制御部１５は後部空間４Ｂ内に配置され、アンテナ２１及び通信モジュール２２は、器具空間ＳＳのカバー部材３内空間において、不透明及び電波透過性の補助カバー部材２５で覆われ、後部空間４Ｂに配置した制御部１５の下方位置に間隔を存して配置されている。この場合、少なくともアンテナ２１が器具空間ＳＳのカバー部材３内空間に配置さればよい。
【００５６】
カバー部材３は、本体の下面開口２Ａを覆うように、前部分が発光部６を覆い、後部が補助カバー部材２５で覆われたアンテナ２１及び通信モジュール２２を覆う。
アンテナ基板２１Ｐは通信モジュール基板２２Ｐに対して交差状態であり、好ましくは略直角状態とし、補助カバー部材２５及びカバー部分３Ｐの前後左右の壁を通して、外部の通信制御部と電波の送受信を行うことができる。
【００５７】
図１乃至図３に示す形態、及び図４乃至図６に示す形態のいずれにおいても、通信モジュール基板２２Ｐを本体２の開口面に直交する方向に配置し、アンテナ基板２１Ｐが通信モジュール基板２２Ｐに並行する配置とすることも可能である。この場合も、アンテナ基板２１Ｐ及び通信モジュール基板２２Ｐは、補助カバー部材２５で覆われる状態である。
【００５８】
図９にはアンテナ２１がロッドタイプである場合の照明器具１を示している。その一つの形態として、図４乃至図６に示す照明器具１において、発光部６よりも後方で下位に位置し、カバー部材３の内側空間に配置されるように、補助カバー部材２５の外側に後部から前方へ向けてロッドタイプのアンテナ２１が取り付けられている。アンテナ２１は、補助カバー部材２５で覆われた通信モジュール２２と電気的に接続される。
【００５９】
図１０及び図１１に示す形態の照明器具１は、公園等のような広場の照明に適するものであり、支柱ＰＨの先端が挿入される支柱挿入部６２を中央下部に備えた金属製の上面開口６０Ａの本体６０と、この上面開口６０Ａを塞ぐように組み合わされる透光性及び電波透過性の透光カバー部材６１と、透光カバー部材６１の内側に配置される発光部６を有し、本体６０と透光カバー部材６１で囲まれた器具空間に、発光部６、発光部６の点灯・消灯を制御する制御部１５、及び外部の通信制御部との信号の受信または送受信動作を行う照明器具側通信制御部２０が配置される。制御部１５は本体６０に取り付けられた金属製の保護カバー６６に覆われ、保護カバー６６の上部に発光６部が取り付けられ、保護カバー６６の外側で透光カバー部材６１で覆われる空間に、電波透過性の補助カバー部材６７で覆われるように照明器具側通信制御部２０が設けられる。照明器具側通信制御部２０は、通信モジュール基板２２Ｐに所要の電子回路部品２２Ｅが配置された通信モジュール２２と、アンテナ基板２１Ｐにパターン形成にて設けたアンテナ２１を含む構成である。
【００６０】
この具体的構成を図１０及び図１１に基づき説明する。本体６０を構成する取り付け基部６０は、地面等に立設した支柱ＰＨの先端部が挿入される支柱挿入部６２を中央下部に有し、支柱挿入部６２の上部から周方向へ拡大した取り付け部６３と、取り付け部６３の外周部から上方へ向けて拡径した環状取り付け部６４を有し、環状取り付け部６４の内側に円形状の上面開口が形成されている。透光カバー部材６１は、下部開口周縁部がパッキンを介して環状取り付け部６４に取り付けられる。
図１乃至図３に示す形態と同じ機能部分は、図１乃至図３と同じ符号を付している。
【００６１】
取り付け部６３の上面には、環状取り付け部６４の内側において支持台６５を介して制御部１５が取り付けられ、制御部１５は取り付け部６３に取り付けた金属製の保護カバー６６で覆われている。保護カバー６６は、環状取り付け部６４の内側において取り付け部６３の上面に取り付けた支持台６６Ｄを介して取り付けられる。
このため保護カバー６６で覆われた制御部１５は、落雷等のサージ電圧に対して保護される。透光カバー部材６１は、透光性及び電波透過性の合成樹脂やガラスで構成される。保護カバー６６の上部に発光部６が取り付けられており、発光部６の発光により、透光カバー部材６１を通して周囲を照明する。
【００６２】
保護カバー６６の一側部には、アンテナ２１及び通信モジュール２２を収容する補助カバー部材６７を備える。補助カバー部材６７は不透光性（不透明性）及び電波透過性である。アンテナ２１は、図１乃至図３に示すものと同様に、アンテナ基板２１Ｐの片側面または両側面に、印刷技術によって四辺形状、渦巻き形状、ジグザグ形状等所期の形状にパターン形成された構成であり、アンテナ基板２１Ｐが通信モジュール２２の電子回路部品を取り付けた通信モジュール基板２２Ｐの端部に通信モジュール基板２２Ｐに並行に取り付けられ、アンテナ２１が通信モジュール基板２２Ｐの配線と電気的に接続されている。即ち、図１１に示すように、通信モジュール基板２２Ｐが本体２である取り付け基部６０の上面開口６０Ａの開口面に直交する方向に配置され、アンテナ基板２１Ｐが通信モジュール基板２２Ｐに並行する配置であり、アンテナ基板２１Ｐ及び通信モジュール基板２２Ｐは、補助カバー部材６７で覆われる状態である。
【００６３】
取り付け部６３の一部を貫通形成した採光孔２Ｋを通して照明器具１の周囲の照度を検知するように照度センサ１９が設けられている。照度センサ１９は、図３に示すものと同様に、照度センサ１９は、センサ基板２３に取り付けられ、採光孔２Ｋに嵌合した透光性採光部材２４を通して外部の照度を検出する。
【００６４】
図１０及び図１１に示す形態の照明器具１も図１乃至図３に示すものと同様に、外部の通信制御部との信号の受信または送受信動作を行う。支柱挿入部６２へ支柱ＰＨの先端部が挿入された状態で、ネジ６８によって照明器具１が支柱ＰＨに固定される。
【００６５】
本発明に係る照明器具１は、上記のように受信または送受信機能を備えるが、ＬＥＤ素子７の点灯・消灯制御や、故障検知制御や、その他の制御動作を行う場合は、多数の処理動作を行うこととなるため、マイクロプロセッサーによるマイクロコンピュータ制御方式とし、制御部１５及び通信モジュール２２をディジタル信号による制御方式とすることができる。
それによって、外部の通信制御部との信号の受信または送受信動作が円滑に行えるものとなる。
【符号の説明】
【００６６】
１          照明器具
２          本体
２Ａ        本体の開口部
３          カバー部材
４          内部空間
４Ａ        前部空間
４Ｂ        後部空間
５          発光部基板
６          発光部
７          照明用光源（ＬＥＤ素子）
８          配光部材
１０        取り付け部
１５        制御部
１５Ｐ      制御基板
１７        点灯制御回路部
１９        照度センサ
２０        照明器具側通信制御部
２１        アンテナ
２１Ｐ      アンテナ基板
２２        通信モジュール
２２Ｐ      通信モジュール基板
２５        補助カバー部材
６０        本体（取り付け基部）
６１        透光カバー部材
６２        支柱挿入部
６３        取り付け部  
６４        環状取り付け部
６５        支持台
６６        保護カバー
６７        補助カバー部材
ＳＳ        器具空間
【図１】
2018129175.tif 000003
【図２】
2018129175.tif 000004
【図３】
2018129175.tif 000005
【図４】
2018129175.tif 000006
【図５】
2018129175.tif 000007
【図６】
2018129175.tif 000008
【図７】
2018129175.tif 000009
【図８】
2018129175.tif 000010
【図９】
2018129175.tif 000011
【図１０】
2018129175.tif 000012
【図１１】
2018129175.tif 000013